(57)【特許請求の範囲】
【請求項１】
コンタクトレンズ、ＩＯＬ、インレイ及びオンレイのうちの少なくとも１つから選ばれた人の視力を改善する眼球光学素子であって、
前記眼球光学素子は、該人の眼の高次単色眼球波面収差を矯正するために採用された面状を有し、
前記眼球光学素子は、眼球色収差を矯正するために光フィルタリング効果を有し、
前記高次単色眼球波面収差は、次数ｎを５以上として、ツェルニケのラジアル多項式Ｚｎｍにより与えられる眼球光学素子。
【請求項２】
前記次数ｎは、１０までである請求項１記載の眼球光学素子。
【請求項３】
前記色収差を矯正するための眼球光学素子は、減光フィルタである請求項１記載の眼球光学素子。
【請求項４】
前記色収差を矯正するための眼球光学素子は、帯域フィルタである請求項１記載の眼球光学素子。
【請求項５】
前記色収差を矯正するための眼球光学素子は、ロング・パス・フィルタである請求項１記載の眼球光学素子。
【請求項６】
前記色収差を矯正するための眼球光学素子は、アポディゼーションフィルタである請求項１記載の眼球光学素子。
【請求項７】
前記アポディゼーションフィルタは、瞳孔中心と瞳孔の縁の間に非均一の振幅透過率を有する請求項６記載の眼球光学素子。
【請求項８】
前記振幅透過率は、瞳孔中心から瞳孔の縁にかけて減少する請求項７記載の眼球光学素子。
【請求項９】
前記アポディゼーションフィルタは、瞳孔中心と瞳孔の縁の間に、スペクトル的に依存した非均一の振幅透過率を有する請求項７記載の眼球光学素子。
【請求項１０】
前記瞳孔中心から瞳孔の縁にかけての光減衰は、各波長について、前記波長が基準波長から離れるにつれて増加する請求項９記載の眼球光学素子。
【請求項１１】
前記アポディゼーションフィルタは、数式Ａ（ｒ）＝ｅｘｐ（−ｒ４／２σ２）のスーパーガウス関数により表わされる請求項６記載の眼球光学素子。
【請求項１２】
前記アポディゼーションフィルタは、瞳孔中心から瞳孔の縁にかけて密度が高くなる色吸収物質でできた環帯を備える請求項６記載の眼球光学素子。
【請求項１３】
前記アポディゼーションフィルタは、約５００ｎｍから約６５０ｎｍまでの全帯域通過を有する請求項１２記載の眼球光学素子。
【請求項１４】
前記アポディゼーションフィルタは、複数の隣接した環状の形のフィルタを備え、
各環状フィルタは、隣接したより小さい環帯より狭い帯域幅の所定の帯域通過を有する請求項６記載の眼球光学素子。
【請求項１５】
前記アポディゼーションフィルタは、光フィルタリングが無いある内径を有する環帯と、約５５０ｎｍから６１０ｎｍまでの帯域幅の通過帯域を有する該内径とある外径との間の領域と、を備える請求項６記載の眼球光学素子。
【請求項１６】
前記内半径は２ｍｍ以下である請求項１５記載の眼球光学素子。
【請求項１７】
前記アポディゼーションフィルタは、複数の隣接した環状の形のフィルタを備え、該素子の中央放射部分はフィルタリングを提供せず、第１の環状リングはロング・パス・フィルタを提供し、該第１の環状リングに隣接するより大きな第２の環状リングは帯域フィルタを提供する、請求項６記載の眼球光学素子。
【請求項１８】
前記ロング・パスフィルタは約５１０ｎｍより大きな波長の透過を提供し、及び前記帯域フィルタは、約５５０ｎｍから６１０ｎｍの間の透過を提供する請求項１７記載の眼球光学素子。
【請求項１９】
前記アポディゼーションフィルタは、ロング・パス・フィルタを備える請求項６記載の眼球光学素子。
【請求項２０】
前記ロング・パス・フィルタは、約５５５ｎｍの基準波長を越えた波長を実質上透過する請求項１９記載の眼球光学素子。
【発明の詳細な説明】
【０００１】
【発明の属する技術分野】
本発明は、視力及び網膜結像を改善する素子、装置及びシステムに関し、詳しくは高次単色眼球収差及び眼球色収差の矯正により、人間の視力及び網膜結像を改善する素子、装置及びシステムに関する。
【０００２】
【従来の技術】
眼鏡及びコンタクトレンズ設計の著しい進歩にもかかわらず、眼科用レンズの大部分は、単に、焦点ぼけ及び乱視として知られる第二次眼球収差までを矯正するにすぎない。球面収差、コマ収差、及び様々な不規則な収差などの高次単色眼球収差は、眼鏡、コンタクトレンズ、角膜の整形、インレイ、オンレイ及び他の現行の視覚補正技術によっても未だ矯正されずにいる。これらの眼の高次収差は、網膜上に形成された像をかすませ、結果的に視機能を悪化させ、人の網膜からの像をもかすませる。最近まで、眼の不規則な高次収差を定量的に測定する迅速又は効率的な装置あるいは方法が存在せず、また焦点ぼけ及び乱視以外の眼の単色収差を矯正する如何なる実用的な手段も存在しなかった。
【０００３】
リアン（Ｌｉａｎｇ）他による「米国光学生理学ジャーナル」（  Ｊ．  Ｏｐｔ．  Ｓｏｃ．  Ａｍ．  Ａ．）、（第１１巻、第７号、１９４７頁及至１９５７頁、１９９４年７月）という文献を援用して明示すると、人間の眼の単色波面収差を測定するのに使用したハートマンシャック波面センサが開示されている。彼らは、この測定を、網膜中心窩に収束された光線の網膜反射によって生じる、眼から発生した波面を感知することにより行った。そこに開示されたシステムを使用して、その著者らは４次多項式関数までのみ測定することができた。しかしながら、４次までの多項式にのみ好適な波面では、眼の収差の十分な説明が提供されない。続いてウィリアム他による米国特許第５，７７７，７１９号という文献を全体的に援用して明示すると、リアン（Ｌｉａｎｇ）他によって使用された波面センサの改良について開示されており、少なくとも５次以上の単色収差の測定データ及び矯正が提供されている。可変鏡とその改良波面センサ装置とを組み合わせて使用することによって、ウィリアム他は、眼鏡、コンタクトレンズ、他の眼球装置又は眼の手術的矯正では従来矯正されなかった複雑な収差を測定し矯正することができた。更に、そこに記載されている通り、ウィリアム他はかつてない良質の網膜像を提供するシステムを説明した。
【０００４】
リアン他による「適応制御光学を通じた、過常視力及び高解像度網膜結像」（「米国光学生理学ジャーナル」（Ｊ．  Ｏｐｔ．  Ｓｏｃ．  Ａｍ．）第１４巻、２８８４頁及至２８９２頁、１９９７年）には、眼の単色波面収差を測定し矯正するための適応制御光学の使用が記載されている。彼らは、高次単色収差の矯正により、６．０ｍｍの瞳を介して２７．５サイクル／度（ｃｐｄ）の単色回折格子を見た場合にコントラスト感度が６倍改善されることを発見した。しかしながら、彼らはコントラスト感度を、通常の日常視覚条件の典型ではない、単色光及び１つの空間周波数のもとでのみ測定している。
【０００５】
人間の眼が色収差を患うこともまた公知であり、視力に対する色収差の影響を分析する試みに関して多数の参考文献が存在する。キャンベル及びグビッシュの「生理学ジャーナル（Ｊ．  Ｐｈｙｓｉｏｌ．）１９２号」３４５頁及至３５８頁（１９６７年）は、色の焦点差（縦色収差）に関し、空間周波数１０〜４０ｃｐｄの範囲において白色光及び単色光の間のコントラスト感度に軽微な進歩があったと報告している。
【０００６】
ティボス（Ｔｈｉｂｏｓ）他による視力測定及び視力科学、第６８号、第８号、５９９頁及至６０７頁（１９９１）は、色収差が視力に大きく影響するか、そうであるならば、どのように、なぜ、どの程度なのかという問題を提起した。
【０００７】
【非特許文献１】
米国光学生理学ジャーナル（Ｊ．Ｏｐｔ．Ｓｏｃ．Ａｍ．Ａ．）（第１１巻、第７号、１９４７頁乃至１９５７頁、１９９４年７月）
【非特許文献２】
リィアン（Ｌｉａｎｇ）他による「適応制御光学を通じた過常視力及び高解像度網膜結像」米国光学生理学ジャーナル（Ｊ．Ｏｐｔ．Ｓｏｃ．Ａｍ．Ａ．）（
第１４巻、２８８４頁乃至２８９２頁、１９９７年）
【非特許文献３】
キャンベル及びグビッシュの「生理学ジャーナル（Ｊ．Ｐｈｙｓｉｏｌ．）１９２号」３４５頁乃至３５８頁（１９６７年）
【非特許文献４】
ティボス（Ｔｈｉｂｏｓ）他による「視力測定及び視力科学」、第６８号，第８号、第５９９頁乃至第６０７頁（１９９１年）
【特許文献１】
米国特許第５，７７７，７１９号明細書
【０００８】
【発明が解決しようとする課題】
ティボス（Ｔｈｉｂｏｓ）他の結論を次に列挙する。ａ）軸（縦）色収差は、単に適度のコントラスト感度減少及び軽微な視力損失をもたらす；ｂ）色の等倍差（倍率色収差）は、視機能にほとんど影響がない；及びｃ）横色収差は、瞳が横方向に置かれたときのみ、中心視覚にとって重要になる。通説では、視力に対する色収差の一般的な影響に関して、色収差は眼の明所視の分光感度が低いスペクトルの末端において、最も激しいとされていた。
【０００９】
また、視力及び網膜像の像質に対する色収差の影響を調査した多くの研究は、視機能における色収差と高次の単色収差との相乗効果を考慮していない。
【００１０】
【発明の目的】
視力を改善しようとする中で、発明者らは、通常の視覚条件下での視機能を評価する必要性を認識し、その結果、第二次収差、高次収差あるいは色収差（単独あるいはそれらの組み合わせ）の矯正が、どの程度視覚能力の改善に効果があるかを究明する必要性を認識した。したがって、人間の視力に対する収差の影響を評価し、収差矯正を通じてより良い視力及び網膜結像を提供する方法、装置及び素子が必要となる。
【００１１】
【課題を解決するための手段】
本発明は、人間の視機能及び網膜結像を改善するための素子、装置及びシステムに全般的に関し、詳しくは、このような素子、装置及びシステムは、高次単色収差及び色収差の両方の矯正に基づいた、人間の視機能及びより高画像の網膜結像の評価及び改善に関する。
【００１２】
本発明の一実施形態は、高次位相補償エレメント及び光振幅修正エレメントを含む人間の視力を改善するための光学システムによって記述される。高次位相補償エレメントが高次単色収差の矯正を提供するために使用される一方で、光振幅修正エレメントは色収差の矯正を提供するために使用される。本実施形態の一側面においては、高次位相補償エレメント及び光振幅修正エレメントは、共通の光学コンポーネントに備えられる。別の側面においては、高次位相補償エレメント及び光振幅修正エレメントは、別々の光学素子に個々に備えられる。
【００１３】
本発明の他の実施形態は、人間の視覚能力を改善するための眼球素子に関する。本素子は少なくとも、測定された高次単色眼球収差を矯正するために採用された形状を有する。更に、本眼球素子は、眼球の色収差の矯正のため、少なくともその表面の一部に非均一の透過率を有する。本実施形態の一側面においては、眼の視機能に対する収差の有害な作用を弱化するため、眼の瞳孔径は、人工的なアポディゼーションによって効果的に縮小される。
【００１４】
本発明の他の実施形態は、網膜の改善された高解像度の像の提供に関する。このような画像を生成するための当該システムにおいては高照度のための広帯域光源が有利に利用され、高次単色収差及び色収差の矯正により像質向上処理がなされる。
【００１５】
本発明に係る一方法の実施形態は、人間の測定可能な視覚の利得（視覚の利点）の改善に関し、眼球高次単色収差を矯正し、加えて色収差（好適に及び実質的に軸色収差）を矯正することを包含している。高次単色収差の矯正に係る好適な方法は、たとえば、可変鏡や、液晶表示装置（リキッド  クリスタル  デバイス；以下「ＬＣＤ」と略記する）若しくは微小電気機械システム（マイクロエレクトロメカニクス；以下「ＭＥＭＳ」と略記する）等のその他の位相補償エレメント、更に好適にはコンタクトレンズ、眼内レンズ（イントラ  オキュラー  レンズ；以下「ＩＯＬ」と略記する）、インレイ（目の内部に入れるもの）、オンレイ（目の上に置くもの）、又は屈折矯正手術若しくは光剥離による角膜形成を提供することを含む。これらすべては、標準的な眼から生じる収差ある波面を矯正するための適切な位相補償を提供するために適切に適用される。下記に更に詳しく記載されるが、色収差を矯正する方法は、様々な形の分光フィルタリング、及び好適には人工的なアポディゼーションを包含する。
【００１６】
より正確で明確に本発明を述べるため、詳細な説明及び特許請求の範囲を通して使用される下記の文言の意味を以下に定義する。
【００１７】
アポディゼーションとは、瞳孔半径すなわち瞳孔の中心と瞳孔の縁との間一帯の、光の非均一な振幅透過率を指す。
【００１８】
高次単色収差とは、３次及びそれより高次のラジアル・ツェルニケ多項式（ピストン、チップ及びチルトを除く）に代表される光学収差、又は当業者に周知の他の測定基準で表される同等の収差を指す。５次から１０次のラジアル・ツェルニケ・モード（ピストン、チップ及びチルトを除く）に代表される光学収差又は等価物に関しては後述で更に詳しく説明する。
【００１９】
色収差に関しては、その用語が当業者に周知であるため慣例通りに定義されるが、好適及び実質的には、軸あるいは縦の色収差を指す。
【００２０】
ここに述べる視機能とは、人間がいかによく見ることができるかについての質に関する（定性的な）基準である。視覚の利得ないし視覚の利点（ＶＢ）という語が、視機能の定量的測度を明示するために使用される。視覚の利得は、当業者に理解されるであろう用語であるコントラスト感度及び視力の点から述べられる。更に詳しく述べると、視覚の利得は、精神物理学的な視覚の利得（ＶＢｐｓｙ）及び光学的な視覚の利得（ＶＢｏｐｔ）の点から等しいものとして以下のように定義される：
【００２１】
【数１】
0004289814.tif 000002
【００２２】
ここで、数式１においてＣＳＦはコントラスト感度関数として定義され、ｗ／ＨＯＣは高次収差矯正があることを意味し、ｗ／ｏＨＯＣは高次矯正がないことを意味し、そしてＭＴＦ（モジュレーション  トランスファー  ファンクション；以下同様））は、変調伝達関数を指す。以下に示された高次単色収差（３次〜１０次ツェルニケ・モード）のみを矯正するケース（ａ）の結果に関しては、光学的な視覚の利得は以下のように定義される。
【００２３】
【数２】
0004289814.tif 000003
【００２４】
（ｂ）高次単色収差及び軸色収差の双方を矯正するケースについては、光学的な視覚の利得は以下のように定義される。
【００２５】
【数３】
0004289814.tif 000004
【００２６】
双方のケースにおいて、焦点ぼけ及び乱視（２次ツェルニケ・モード）に対し、基準となる視機能を提供するのに必要なだけの矯正がなされた。
【００２７】
光学システムとは、人間の視力に関連した１つ以上の光学エレメントを指し、眼あるいは、角膜、コンタクトレンズ、ＩＯＬ、眼球のインレイ、眼球のオンレイ、可変鏡又は眼鏡レンズのような外部部品などの屈折パーツであって、所望する用途及び実施上の配慮点に応じて、単体又は他の光学エレメントと組み合わせて使用可能なものを包含しているが、それらに限定されない。
【００２８】
高次位相補償エレメントとは、十分な平面波面をもたらすため、換言すれば、高次収差の矯正を提供するために、高次単色収差波面データに応じて形状が修正された表面を有する、上記いずれかの光学エレメントを指すが、それらに限定されない。可変鏡又は他のタイプの位相補償装置（例えばＬＣＤやＭＥＭＳなど）は、この定義に包含される。
【００２９】
光振幅修正エレメントとは、回折、干渉、吸収、透過、又はフィルタリングにより光を再分布し、そして眼球の色収差の補償又は矯正を提供する構造を指すが、それに限定されない。
【００３０】
要すれば、本発明は、眼の高次単色収差と色収差を矯正することにより、高次単色収差と色収差のいずれかを単独で矯正することにより得られる視覚の利得よりも大きい視覚の利得を得るための素子、装置及び方法に関する。通常の視覚条件の下では、色収差の存在により、高次単色収差の矯正で提供された有益な効果が希釈されることが、発明者らにより観察されている。換言すれば、高次単色眼球収差及び眼球色収差の両方を矯正する利得は、いずれかの収差を単独で矯正することで得られる利得よりはるかに大きい。加えて、稀釈（又は改善）は、小さい瞳孔サイズ（３ｍｍ未満）より大きい瞳孔サイズ（３ｍｍから８ｍｍ）の方が著しい。これらの新たな知見に基づくと、ＤＭ（可変鏡；以下同様）、コンタクトレンズ、ＩＯＬ、角膜形成、眼球のインレイ、眼球のオンレイ、及び当業者に周知の他の眼球装置又は技術で、眼の高次単色収差を矯正することが可能なはずであり、加えて眼の色収差を矯正することで更に視覚の利得を改善することが可能なはずである。
【００３１】
本発明は更に、上記の概念が採用された、改善された網膜結像のための素子、装置及び方法に関する。
【００３２】
本発明のこれら及び他の目的、結果としてもたらされる効果は、以下の詳細な説明において、関係する図面及び添付された特許請求の範囲に関連して、より十分に述べられる。
【００３３】
【発明の実施の形態】
高次単色眼球収差は、眼から発せられた光の歪んだ（平面ではない）複数の波面として現われる。当業者が理解するように、これらの波面は波面表面上の位相補償により十分に平らな波面に修復することが可能である。高次位相補償エレメントは、所望の位相補償を提供するために有用である。好適な側面においては、眼球の素子又は装置の表面の少なくとも一部に適切な位相プロファイル（つまり面状）を有する素子又は装置が、高次単色収差を矯正するために提供される。そのような素子は例えば、可変鏡、ＬＣＤ、ＭＥＭＳデバイス、コンタクトレンズ、ＩＯＬ、眼球のインレイ、眼球のオンレイ及び再形成された角膜を含むことが可能である。
【００３４】
色収差は、他方、スペクトル依存性がある場合もあればない場合もある瞳領域一帯の光振幅分布により影響を受ける。光振幅修正エレメントは、眼球の色収差を補償又は矯正するために用いられる。好適な側面において、分光フィルタ又は回折光学面が色収差を矯正するために提供される。より好適には、瞳孔の人工的なアポディゼーションが、提供され、下記により詳しく論じられる。人工的なアポディゼーションは、また、網膜結像の改善に対し有利に用いることができる。
【００３５】
本発明の一実施形態は、人間の視力を測定し改善するための光学システムに関し、高次位相補償エレメント及び光振幅修正エレメントを含む。この実施形態の一側面において、図１を参照し、高次位相補償エレメントが、波面収差の測定及び矯正をする適応光学システム１０内で使用される可変鏡（ＤＭ）１１８により記述される。ＤＭ（下記でより詳細に記述される）は、形態を変形させることにより、眼から反射された波面の収差のある位相プロファイルを補償する位相プロファイルを提供可能な表面を有する。また、当業者であれば理解できるように、ＤＭでなくＬＣＤ又はＭＥＭＳデバイス（図示せず）であっても適切な位相補償を提供することができる。
【００３６】
図３を参照し、人間の視力を矯正するための好適な光学システム１９０は、適切な高次位相補償を提供するためのカスタマイズされた表面プロファイルを有する高次位相補償エレメントを、コンタクトレンズ２００（あるいはＩＯＬ（図示せず）、眼球のインレイ（図示せず）、眼球のオンレイ（図示せず）、再形成された角膜（図示せず））の形態で含む。補償する位相プロファイルは、例えばツェルニケ係数データの形で波面センサのデータから生成可能である。このデータは、図１で概略的に示されるアクティブ光学システム１０により生成することができる（下記で詳細を述べる）。コンピュータ１３２からＤＭ１１８への最終的な波面補正信号も、レンズ製造システム又はレーザー手術プラットフォーム１５２に伝送可能で、そこでは矯正済み波面収差データが、選択された高次位相補償エレメント上に適切な表面プロファイルを生成するために使用され得る。コンタクトレンズ、ＩＯＬ、インレイ、又はオンレイの表面を生成又は修正する技術は、当業者には周知であり、例えばラス張り、キャスティング、モールド成形、及びレーザー加工を含む。屈折矯正手術又はレーザー光剥離は、適切に人間の角膜を形成するための好ましい技術である。
【００３７】
本発明の一実施形態に係る例示の光振幅修正エレメントは、図１における干渉フィルタ１３６で表わされる。より実用的で好適な態様では、光振幅修正は、後述されるように、アポディゼーションフィルタを通じて人間の瞳孔に対して人為的にアポディゼーションを行うことで提供される。ここで、アポディゼーションとは、瞳孔半径の関数としての光の非均一の振幅透過率を指す。視力における自然なアポディゼーションはスタイルズ・クローフォード効果との関連で広く知られている。眼の光受容体の導光路特性により、瞳孔の周囲に入る光は、瞳孔中心を通過する光より、網膜刺激が効率的ではない。しかしながら、理論的にはアポディゼーションは効果的に瞳孔径を縮小し、収差に対する眼の感度を弱めるものの、スタイルズ・クローフォード・アポディゼーションは像質に対する収差の影響を縮小することがほとんどない。特に、アポディゼーションは、低から中の空間周波数の変調を増加させる点像分布関数におけるサイドローブの高さを縮小する。これは一般的に収差の許容差を増加させ、本発明においては特に焦点ぼけ及びそれによる軸色収差の許容差に適用可能である。
【００３８】
あるシステム（例えば眼とコンタクトレンズ）の光学的特性は、射出ひとみ上に定義された一般化瞳関数によって次のように纏めることができる。
【００３９】
ρ（ｒ，θ）＝Ａ（ｒ，θ）ｅｘｐ［（ｉ２π／λ）Ｗ（ｒ，θ）］・・・（１）
【００４０】
ここで、Ａ（ｒ，θ）は、瞳孔の点（ｒ，θ）を通じて透過された振幅であり、Ｗ（ｒ，θ）は波面収差である。従来のコンタクトレンズにおいて、Ｗ（ｒ，θ）は、各波長についての高次収差プラス色の焦点ぼけを示す。高次収差を矯正するためのカスタマイズされたコンタクトレンズにおいて、Ｗ（ｒ，θ）は、残留単色収差プラス色収差を表わす。双方のケースで、適切なフィルタＡ（ｒ）は、レンズの中心から縁までの光の透過率を徐々に減少するコンタクトレンズにおいて、瞳孔半径と共に収差の大きさが増加するため、網膜像に対する収差の影響を減少する。色収差を矯正するためには、そのフィルタは、各波長について減衰が異なる波長依存Ａ（ｒ；λ）であるべきである。
【００４１】
異なるいくつかのアポディゼーション関数が当業者に知られており、ガウスのアポディゼーションが最も一般的なもののうちの１つである。しかしながら、収差は、瞳孔の中心よりも端においてより早く増加するため、瞳孔の縁に接近すると急になる中心周りの滑らかな斜面で特徴づけられる他の関数は、ガウスのアポディゼーションの利得を提供するが、照射量の著しい増加を伴う。したがって、好適な側面において、本発明に係るアポディゼーションフィルタは次式のスーパーガウス関数によって記述される。
【００４２】
Ａ（ｒ）＝ｅｘｐ（−ｒ４／２σ２）・・・（２）
【００４３】
ここで、ｒは瞳孔半径であり、σはアポディゼーション関数の幅に関連するアポディゼーション・パラメータである。図４は、パラメータσの異なる値に対する様々な瞳孔半径について、等式（２）のスーパーガウス透過関数により透過された振幅を示す。対照的に、図５は、以下のガウス関数でモデル化されたスタイルズ・クローフォード効果のσの典型値について、透過された振幅を示す。
【００４４】
Ａ（ｒ）＝ｅｘｐ（−ρｌｎ１０．ｒ２／２）
【００４５】
本発明に係る典型的なアポディゼーションフィルタを以下に述べる。
＜典型的なフィルタ１＞
図６を参照すると、可視波長スペクトルの一部に対するパラメータσ（λ）の値が、本発明に係る第１の例示アポディゼーションフィルタ用に示される。この場合、基準波長５７５ｎｍにセンタリングされた２０ｎｍの間隔内では、アポディゼーションがなされない。図７は、各波長について、異なる瞳孔半径を通じて、このフィルタによって透過された光の強さの値を示す。図８は、全波長についての、瞳孔の開口全体を介しての全透過率を示す。特定のスペクトルバンド幅を図示したが、所望の適用に基づいて特定の分光透過率領域が選択されることが望ましい。例えば、向上した夜間視力が所望される場合、眼の桿体視感度とより一致するよう分光透過率帯域幅を変えることが可能である。
【００４６】
本発明の実施形態に係る人工的にアポディゼーションされたカスタムコンタクトレンズの形状をした、例示の光学的装置１９０が、図３及び図９で概略的に示される。コンタクトレンズ２００は、ｒ３で定義される光学領域を有し、上記した高次単色収差の矯正を提供する。図９で示される典型的なフィルタ１に係るアポダイジング・フィルタ２０２は、レンズの光学軸（図示せず）に沿ってレンズ２００の中心２０４と合わせられる。波長依存アポディゼーションは、コンタクトレンズ２００の光学領域一帯に、染料など色吸収物質を導入することで達成することができ、それによりレンズの光学部の中心２０４から縁２０８に増加した密度が提供される。そのようなフィルタリング・プロファイルの形成にとって、様々な方法が存在することは、当業者に認識されるだろう。例えば、最初に円筒状の棒の形で提供されるコンタクトレンズ材料を、レンズ材料に拡散する適切な染料に含浸することも可能である。適切な拡散時間及び他の既知のパラメータの制御により、所望する密度プロファイルは達成可能である。
【００４７】
＜典型的なフィルタ２＞
図１０で図示されるアポダイジング・フィルタの代替態様では、適切なフィルタ材がレンズ表面上の同心環状リング２２０，２２１，２２２などに沈着される。この態様において、フィルタ材は各リング内に帯域通過フィルタを提供し、各リングはレンズ中心への距離が増加するにつれてより狭くなる帯域幅を有する。例えば、レンズ中心（ｒ＝０）からｒ＝０．５ｍｍまではフィルタはないが、０．５ｍｍから１ｍｍまでは、フィルタは、その特定の半径位置について図７において示されたところに従った分光プロファイルを有することができ、同様にレンズの縁に向かって外拡する様々な半径について分光プロファイルを有することができる。適用によって異なる環状半径及びフィルタ・プロファイルは、本発明の当態様の範囲内に十分にある。
【００４８】
＜典型的なフィルタ３＞
図１１を参照し、上述した例示フィルタ２のフィルタ実施形態の最も簡易なケースは、シングル・リングの使用である。図示されるように、４ｍｍ径より大きい瞳孔を介して短波長及び長波長が入るのを避けるため、フィルタリングはｒ＝２ｍｍで始まり、レンズの光学部の縁２０８まで続く。好適には、フィルタは、帯域幅λ＝［５５０−６１０ｎｍ］を持った通過帯域フィルタを備える。上述したように、他の半径及び帯域幅も適用可能である。
【００４９】
＜典型的なフィルタ４＞
本発明の当実施形態の別の側面においては、図３に示されたコンタクトレンズ２００は、コンタクトレンズの２つの異なるゾーンに２枚のフィルタを組み込むことが可能であり、例えば、レンズ中央２ｍｍ径内にはフィルタを組み込まないで、２ｍｍと４ｍｍ径の間のゾーンにはロング・パス・フィルタ（λ＞５１０ｎｍ）を、４ｍｍより大きい径には通過帯域フィルタ（λ＝５１０−６１０ｎｍ）を組み込むことが可能である。このフィルタの透過関数は図１２で示される
【００５０】
＜典型的なフィルタ５＞
代替実施形態において、アポディゼーションは、基準波長より下の波長のみを排除するため、上述された帯域通過フィルタとは対照的に、ロング・パス・フィルタの形状をとってもよい。図１３は、典型的なフィルタ１用の当代替を示す。
【００５１】
図１４及び図１５は、高次単色収差を矯正し、例示フィルタ１及び５、そして３及び４をそれぞれ色収差矯正のために取り入れる光学エレメント（例えばコンタクトレンズ）に相当する白色光ＭＴＦを示す。データはすべて６ｍｍの人工瞳孔径に関して示される。
【００５２】
図１６は、単色収差も色収差も矯正されなかった場合の、本発明に係る異なったアポディゼーションフィルタについての白色光ＭＴＦを示す。この場合には、視覚の利得は、コンタクトレンズ中心にある４ｍｍ直径の単一絞りにより得られた視覚の利得に類似する。図示されているように、当結果は図１４及び図１５に示された結果より劣っている。
【００５３】
図１７は、カスタマイズされたコンタクトレンズでコマ収差と球面収差を矯正する利得、及びそのレンズが本発明に係る色収差矯正用フィルタを取り入れた場合の付加的な利得を示す。このグラフは、色収差の矯正に加えて、高次単色収差の幾分かだけを矯正した場合であっても、視覚の利得を得ることができることを示す。
【００５４】
好適実施形態において、人間の視力を改善するための光学システムは、共通の光学素子又は基板に備わる高次位相補償エレメント及び光振幅修正エレメントを含むことが可能である。図３及び図９の光学システム１９０はそのようなシステムを図示する。このタイプの総合システムは、高次位相補償エレメントがコンタクトレンズ、ＩＯＬ、インレイ、又はオンレイのいずれかである場合には好適であるが、再形成角膜の場合には好適でない。光振幅修正エレメントは、上述のアポディゼーションフィルタの１つに効果的になりえる。
【００５５】
代替実施形態において、人間の視力を改善するための光学システムは、高次位相補償エレメント及び光振幅修正エレメントを別々の光学素子（図示せず）に備えていてもよい。このシステムは、１以上の上述された高次位相補償エレメントを、アポディゼーションが行われた又はフィルタリングされた眼鏡レンズと組み合わせて有することが可能で、例えば高次位相補償エレメントと併用できる。好適には、この分離式光学システムは、高次位相補償エレメントが再形成角膜である場合に用いられる。
【００５６】
本発明の他の実施形態は、高解像度網膜結像及び対象に通常以上の網膜像の像質を提供することに関する。図２は、対象に通常以上の網膜像の像質を提供するために使用可能であり、眼１０７の網膜１０９の高解像度の像を提供するために使用可能でもある網膜結像システム３０を概略的に図示する。光学システム３０は、網膜１０９を照らす広帯域光ソース３００及び網膜像を捕らえる第２のＣＣＤカメラ１５６に繋がる光学通路１５５は顕著な例外として、図１の光学システム１０に十分に類似する。この実施形態において、広帯域の網膜照光はクリプトン・フラッシュランプ３００により提供される。クリプトン・フラッシュランプ３００は、眼の瞳孔に、典型的には４ミリ秒フラッシュでイメージングされ、それにより好適には直径１度の網膜１０９の網膜の円盤体を照らす。網膜１０９の像は、図１に関しここで記載されているように、眼の高次単色収差の補償用として既に形作られた可変鏡１１８により反射される。光は、鏡１２５により反射されて、人工瞳孔１３４及びすぐに続くアポダイジング・フィルタ１３７を通過した後、網膜結像ＣＣＤ１５６に焦点が合わせられる。改善された網膜像（及び対象の相当する網膜結像能力）は、ウィリアムズ他の米国特許第５，７７７，７１９号で論じられた改善された網膜像の像質を基礎として、アポダイジング・フィルタ１３７により提供される色収差矯正により得ることが可能である。好適には、アポダイジング・フィルタ１３７は、上述の例示アポディゼーションフィルタのいずれによっても表される。例えば、光学システム３０への取込みに適する基板に、所望するフィルタ・プロファイルを焼き付けることにより、そのようなフィルタを提供可能であることが当業者に認識されよう。上述されるようなアポディゼーションフィルタは図２の網膜結像システムにおける色収差の矯正に対して好適な装置であるが、例えば、減光フィルタ及び干渉フィルタなど他のフィルタを使用することも可能であろう。しかしながら、色収差を減少させるために帯域幅を全可視帯域幅の一部分へ狭くするだけでは、総輝度を減少させてしまうという欠点があることが観察された。図２５は視覚の利得の観点からこの効果を示す。帯域幅を５０ｎｍ（５３０ｍｎから５８０ｍｎ）に減らすことで、全可視帯域幅（２９０ｎｍ）で得られた視覚の利得に対して２倍の視覚の利得が提供されたが、しかしながら輝度は、伴う色視力の損失によりおよそ５０％減少した。
【００５７】
本発明の実施形態は、上述した光学素子、装置、及びシステムと共に、人間の視力を改善する方法に関する。この方法は眼球の高次単色収差の矯正と、眼球の色収差の矯正、好適及び実質的には軸色収差の矯正とを包含する。
【００５８】
高次単色収差データは、図１で概略的に示された適応光学システム１０を使用し、多くの対象から得た。本装置は、ウィリアムズの米国特許第５，７７７，７１９号に図示及び記載された適応光学システムと多くの特徴を共有し、当文献は、参照することにより全体的にここ及び図２に援用される。収差データを得るために、対象の瞳はマイドリシイ（散瞳薬）（商品名）（１％）、又はサイクロジル（散瞳薬）（商品名）（１％）により散大された。次に、被検眼１０７の位置を確認するために、対象のヘッド位置は咬合バー（図示せず）でシステム１０に固定された。７９０ｎｍで放出するスーパールミネッセントダイオード１０６は、ビームスプリッタ１１０により、視準を整正され、眼１０７の網膜１０９の点光源へ反射された。網膜から反射された光は、ビームスプリッタ１１０を通過し、レンズ１１２と１１６を介して、眼の瞳孔と共役な平面に位置する可変鏡１１８に向かう。可変鏡１１８（ジネティックス社製；Ｘｉｎｅｔｉｃｘ，  Ｉｎｃ．）は、鏡面を形成して高次単色収差を矯正するために、３７個のマグネシウム・ニオブ酸鉛（ｌｅａｄ  ｍａｇｎｅｓｉｕｍ  ｎｉｏｂａｔｅ；ＰＭＮ）のアクチュエータを含む。可変鏡１１８から反射した光は、網膜１０９と共役に設置された開孔部１２２と同じ位置において、レンズ１２０により焦点を結ぶ。次に、光はレンズ１２４により視準を整正され、ハートマンシャック波面センサ１３０の小型レンズアレイ１２６に向けて、部分的透過ミラー１２５を通過する。ハートマンシャック波面センサ１３０は、２２１個の小型レンズの正方アレイ（焦点距離＝２４ｍｍ、レンズ間の間隔＝０．４ｍｍ；アダプティブ・オプティカル・アソシエーツから入手可能）を含み、第１０ラジアル次（ピストン、チップ、及びチルトを除いた６３のツェルニケ係数）までの波面収差データを提供した。眼の瞳孔の共役面にある小型レンズアレイ１２６は、網膜１０９と共役な平面に位置するＣＣＤカメラ１２８上に網膜の点光源の空間像を作る。波面センサ１３０からの波面データは、コンピュータ１３２で処理され、フィードバック制御ループ１３４を介して可変鏡１１８に向かう。図１に更に示すように、三菱のダイヤモンドプロ７１０  ＣＲＴ１３８を網膜１０９と共役な平面に配置し、眼への視覚刺激を、コントラスト感度と視力の測定及び評価のための回折格子又は特別に配向されたアルファベット文字の形で表示するために使用した。ＣＲＴのスクリーンは広帯域の二項性の発光スペクトルと共に白く現われた。当該ディスプレイを、１度の視角を提供する６ｍｍの瞳孔１３４を介して観察した。網膜照度は５７Ｔｄにセットし、照度レベルを均一化するために必要に応じて減光フィルタを使用した。５５０ｎｍの中心波長程度で１０ｎｍの帯域幅（ＦＷＨＭ）を有する狭帯域幅干渉フィルタ１３６を、色収差を矯正するためのいくつかの測定に使用した。他の測定においては、縦色収差は、「米国光学学会ジャーナル」（ベッドフォード及びウィスゼッキ；Ｂｅｄｆｏｒｄ  ａｎｄ  Ｗｙｓｚｅｃｋｉ，  Ｊ．Ｏｐｔ．Ｓｏｃ．Ａｍ．４７，５６４−５６５）（１９５７年）に記述されているように色消しレンズにより矯正した。縦色収差が可視スペクトル上で約２���オプトリー（Ｄ）であることが先行技術に示されている。色の焦点ぼけの大きさは、短波長（４００ｎｍ）においてのほうが、長波長（７００ｎｍ）での色の焦点ぼけ（０．５Ｄ）より、大きい（−１．５Ｄ）。しかしながら、図１８に示されるように、人間の明所視の分光感度に関連して考えた場合、知覚色の焦点ぼけは、５５５ｎｍの基準波長を中心にしてほとんど対称的である。当業者なら理解されるであろうが、色収差もまた測定可能であった。
【００５９】
コントラスト感度の測定のため、対象は１６サイクル／度の回折格子を凝視して焦点ぼけがバダルオプトメータ（Ｂａｄａｌ  Ｏｐｔｏｍｅｔｅｒ）により矯正されたが、乱視は必要時に検眼レンズにより矯正した。２、４、８、１６、２４、及び３２サイクル／度の、異なる６つの空間周波数を、ランダムな順序で対象に示した。各空間周波数について５回測定した。コントラスト閾値は既知の調整方法を使用して測定した。
【００６０】
視力を測定するために、４つの異なる方向を向いた各大文字Ｅを１００％のコントラストでランダムな順序でＣＲＴ１３８に示した。焦点ぼけと乱視は必要に応じて矯正した。対象は文字の方向に反応し、視力は文字の線幅で測定され、反応の５０％が正確であった。４回の測定を、単色及び白色光にて、５７Ｔｄ及び５７５Ｔｄの２つの異なる網膜照度レベルで６ｍｍの瞳孔に対して行なった。
【００６１】
＜精神物理学的な視覚の利得＞
図１９（ａ）及び図１９（ｂ）は、それぞれ、（ａ）焦点ぼけ及び乱視のみが矯正された；（ｂ）焦点ぼけ及び乱視に加えて高次単色収差の矯正がなされた後の；及び（ｃ）単色収差と色収差の両方を矯正した後の；２人の対象（ＹＹ、ＧＹＹ）のコントラスト感度関数を示す。その結果は、両対象について類似している。示されているように、高次単色収差の矯正で得られたコントラスト感度は、焦点ぼけ及び乱視のみが矯正された場合より相当に高い。この比較は、通常眼における高次単色収差が視機能を低下させることを示す。更に示されているように、色収差及び高次単色収差両方の矯正により、コントラスト感度においてより大きい増加が得られた。図１９（ａ）及び図１９（ｂ）で図示されたコントラスト感度関数は、色収差が高次単色収差を矯正する利得に最も強い稀釈効果を有することを示す。
【００６２】
図２０（ａ）及び図２０（ｂ）は、図１９（ａ）及び図１９（ｂ）で言及された２人の対象それぞれに関し、高次単色収差を単独で矯正することからの精神物理学的な視覚の利得ＶＢｐｓｙに対する、色収差及び高次単色収差の矯正からの精神物理学的な視覚の利得ＶＢｐｓｙを示す。高次単色収差のみの矯正による視覚の利得（白丸○）は、１６サイクル／度及び２４サイクル／度において平均２倍改善される。これら２人の対象に関して、それぞれに単色収差及び色収差の両方が矯正された場合（黒丸●）、１６サイクル／度における視覚の利得の最大値は、ＹＹではおおよそ５倍、ＧＹＹではおおよそ３．２倍である。上記の測定は、５７Ｔｄの網膜照度で６ｍｍ径の瞳孔サイズに対して行った。
【００６３】
対照的に、図２１及び図２２は、３ｍｍの瞳孔径の対象ＧＹＹに対するコントラスト感度及び精神物理学的な視覚の利得ＶＢｐｓｙそれぞれの測定データを示す。高次収差及び色収差の一方又は双方を矯正する適度の利得（白色光下における１６サイクル／度での２倍に相当する）が、より高い空間周波数において生じることが見て取れる。高次単色収差のみの矯正、又は色収差及び単色収差の両方の矯正による視覚の利得は、いずれも６ｍｍの瞳孔径に対するものよりも小さい。
【００６４】
図２３及び図２４はそれぞれ、７人の対象に対する、高網膜照度レベル（５７５Ｔｄ）及び低網膜照度レベル（５７Ｔｄ）での視力測定を示す。この測定値を得る前に、焦点ぼけと乱視は、必要に応じて検眼レンズにより主観的に矯正された。図面には、７つの対象に対する単色収差のみの矯正が、５７５Ｔｄにおいては１．２倍、５７Ｔｄにおいては１．４倍の平均的増加をもたらすことが示されている。図２４に示されるように、両収差をともに矯正することにより、視力が１．６倍改善された。従って、これは高次単色収差の矯正により視力及びコントラスト感度に好影響が及ぼされ、更に色収差を矯正することで、利得の増加が実現されるという所見を更に裏付ける。
【００６５】
＜光学的な視覚の利得＞
図２６（ａ）及び図２６（ｂ）は、それぞれ、３ｍｍの瞳孔径における、１７人の対象の波面収差測定に基づいた、平均ＭＴＦ及び計算されたＶＢｏｐｔを示す。同様に、図２６（ｃ）及び図２６（ｄ）は、６ｍｍの瞳孔における、類似情報を示す。その計算によれば、矯正後には単色収差及び色収差の一方又は双方の影響が全くないというほどの完全な矯正が推測された。単色光の光変調伝達関数は、図１のアクティブ光学システムで測られたところの、対象の波面収差データから計算した。白色光ＭＴＦは、各波長における眼の、縦色収差により焦点がずらされ、横色収差により移され、そして明所視分光感度により加重された、各単色ＭＴＦを合計することにより得た。ティボス（Ｔｈｉｂｏｓ）他による「視力研究」第３０号及び第３３から４９号（１９９０年））により測定された窩の横色収差値を使用した。単色のＭＴＦは、等しく分布されたエネルギースペクトルを想定して、４０５ｎｍから６９５ｎｍまで１０ｎｍごとに算出した。色収差がない基準波長は最大明所視感度と一致する５５５ｎｍであった。収差を矯正する前は、回折格子についての眼の最良の焦点は、単色光及び白色光両方において空間周波数によって異なる。我々は、１６サイクル／度の回折格子の変調伝達関数を最大にするために、ある焦点ぼけ量を選択した。
【００６６】
図示されるように、３ｍｍの瞳孔に対し、色収差を矯正するだけでは、ほとんど光学の視覚の利得はない。３２サイクル／度で高次単色収差のみの矯正がなされた場合には、コントラスト感度の３倍増が見られる。対照的に、図２６Ｃ及び図２６Ｄに関連して、６ｍｍの瞳孔に対する高次単色収差のみの矯正は、中程度以上の空間周波数において、５倍の光学の視覚の利得を提供した。しかしながら、色収差及び単色収差両方の矯正から算定された光学の視覚の利得は、高次単色収差のみの矯正からの利得よりはるかに大きい。その適応光学システムでは完全な矯正が不可能であったため、理論上の視覚の利得は、図２１、図２２、図２３及び図２４で示された実験によって得られるデータより大きい。理論計算は、大きい瞳孔径への高次単色収差及び色収差の両矯正により、網膜の光学的質を３２サイクル／度で２０倍近く高めることが可能であることを示す。単色収差又は縦収差いずれかのみの矯正がなされた場合、未矯正収差は他方を矯正する利得を希薄化する。
【００６７】
本発明に係る方法実施形態の一側面は、共通の光学素子に高次単色収差矯正及び色収差矯正を提供することに関する。例えば、位相補償を提供するコンタクトレンズ、ＩＯＬ、インレイ又はオンレイはいずれも、位相補償を提供することにより、色収差を矯正するために人工的にアポディゼーションを行うことが可能である。
【００６８】
別の側面において、別々の光学素子で高次単色収差矯正及び色収差矯正を提供しうる。例えば、コンタクトレンズ、ＩＯＬ、インレイ、オンレイ又は再形成された角膜のいずれも位相補償を提供することが可能で、アポディゼーション又はフィルタリングされた眼鏡レンズは色矯正を提供することが可能である。
【００６９】
このように本発明は、特に、視覚の利得が眼の高次単色収差の矯正で改善されること、そして高次単色収差に加えて色収差が矯正された場合、更に大きな視覚の利得が得られることを実証する。実用的な素子、装置及び方法を、人間の視力を改善するために記載した。上述の測定された視力改善は、完全な矯正についての、視覚の利得及びコントラスト感度の理論値と十分一致している。
【００７０】
図２７は、６ｍｍの瞳孔に対する、高次単色収差と色収差の一方又は双方の矯正による視力の理論的な増加を示す。ＭＴＦ及び（生理学者グリーン  Ｊ  １９０，５８３−５９３（１９６７年）により測定された）神経の閾値曲線の交差点が視力を予測している。図２７の倍数詞は、様々な収差の矯正で達成することができた視力の利得に相当する。
【００７１】
要約すると、本発明は眼球の高次単色収差及び色収差の矯正を組み合わせて、人間の視力を改善するための方法、装置及び素子に関する。更に、本発明は改善された網膜結像用システムに関する。
【００７２】
ここに具体的に図示され記載された好適実施形態にかかわらず、本発明の様々な変形例及びバリエーションが、本発明の精神と範囲から逸脱することなく、上記の詳細な説明及び特許請求の範囲に照らして可能であることが理解されよう。
【００７３】
【発明の効果】
本発明は、高次位相補償素子及び光振幅修正素子を含む人間の視力の改善するための光学システムを備える構成であり、高次位相補償素子が高次単色収差の矯正を提供する一方で、光振幅修正素子は色収差の矯正を提供するため、両矯正に基づいた、人間の視機能及びより高画像の網膜結像の評価及び改善が期待できる。
【図面の簡単な説明】
【図１】  図１は、本発明による、波面測定、収差矯正、精神物理的測定及び網膜結像のための適応光学システムの概略図である。
【図２】  図２は、本発明による、波面測定、収差矯正、精神物理的測定及び網膜結像のための適応光学システムの概略図である。
【図３】  図３は、本発明の一実施形態に係る光学システムの上面概略図である。
【図４】  図４は、本発明の一実施形態によるアポディゼーションフィルタ用の、様々な値σ（アポディゼーション度）における振幅透過率対瞳孔半径のグラフである。
【図５】  図５は、スタイレス−クローフォード（Ｓｔｉｌｅｓ−Ｃｒａｗｆｏｒｄ）モデリングの標準的な条件下での振幅透過率対瞳孔半径のグラフである。
【図６】  図６は本発明の一実施形態による分光プロファイル曲線である。
【図７】  図７は、各波長についての異なるラジアル位置での波長の関数としての本発明の一実施形態に係る分光プロファイル曲線である。
【図８】  図８は、本発明の一実施形態による様々な瞳孔径に対する光透過率曲線である。
【図９】  図９は、本発明の実施形態によるアポディゼーションフィルタの概略図である。
【図１０】  図１０は、本発明に係る他のアポディゼーションフィルタ実施形態の概略図である。
【図１１】  図１１は、本発明の一態様によるアポディゼーションフィルタの概略図である。
【図１２】  図１２は、本発明に係るアポディゼーションフィルタ実施形態についての透過率曲線である。
【図１３】  図１３は、本発明に係るロング・パス・フィルタ実施形態のフィルタ透過率曲線である。
【図１４】  図１４は、本発明に係る異なるアポディゼーションフィルタ実施形態の影響を示すＭＴＦグラフである。
【図１５】  図１５は、本発明に係る異なるアポディゼーションフィルタ実施形態の影響を示すＭＴＦグラフである。
【図１６】  図１６は、本発明に係る異なるフィルタ実施形態のＭＴＦグラフである。
【図１７】  図１７は、本発明の実施形態に係るアポダイジング・フィルタと組み合わせてコマ収差と球面収差が矯正されたＭＴＦグラフである。
【図１８】  図１８は、５５５ｎｍの基準波長に中心を持つ、波長の関数としての重み付き色の焦点ぼけのグラフである。
【図１９】  図１９（ａ）及び図１９（ｂ）、一定の収差が存在又は不存在のときの、コントラスト感度対空間周波数のグラフ。
【図２０】  図２０（ａ）及び図２０（ｂ）は、本発明の実施形態に係る収差矯正前及び後の視覚の利得対空間周波数のグラフである。
【図２１】  図２１は、本発明の実施形態に係る様々な収差矯正についての、３ｍｍの瞳孔径に対する、コントラスト感度のグラフである。
【図２２】  図２２は、本発明の実施形態に係る様々な収差矯正についての、３ｍｍの瞳孔径に対する、視覚の利得のグラフである。
【図２３】  図２３及び図２４は、６ｍｍの瞳孔径に対する異なった輝度レベルでの、様々な収差矯正についての、数名の対象についての視力のグラフである。
【図２４】  図２３及び図２４は、６ｍｍの瞳孔径に対する異なった輝度レベルでの、様々な収差矯正についての、数名の対象についての視力のグラフである。
【図２５】  図２５は、波長帯域幅に応じた異なる空間周波数の視覚の利得のグラフである。
【図２６】  図２６（ａ）及び図２６（ｂ）は、それぞれ瞳孔径３ｍｍにおける１７人の対象の眼からの空間周波数に応じた、ＭＴＦのグラフ及び視覚の利得のグラフであり、図２６（ｃ）及び図２６（ｄ）は６ｍｍの瞳孔径の相当するグラフである。
【図２７】  図２７は、本発明の実施形態に係る視力の理論的な増加を図示する、神経の閾値曲線を併用した空間周波数に応じたＭＴＦのグラフである。
【符号の説明】
１１８  歪み鏡
１０、１９０  光学システム
１０６  発光ダイオード
１１０  ビームスピリッタ
１２５  伝送鏡
１２６  レンズレットアレイ
１３０  ハートシャック波面センサ
１３２  コンピュータ
１３４  フィードバック制御ループ
１３６  干渉フィルタ
１３８  ＣＲＴ
１５２  レンズ製造システム（レーザー外科プラットフォーム）
１５５  光学パス
１５６  第２ＣＣＤカメラ（網膜像ＣＣＤ）
２００  コンタクトレンズ
３００  ブロードバンド光源
【図１】
0004289814.tif 000005
【図２】
0004289814.tif 000006
【図３】
0004289814.tif 000007
【図４】
0004289814.tif 000008
【図５】
0004289814.tif 000009
【図６】
0004289814.tif 000010
【図７】
0004289814.tif 000011
【図８】
0004289814.tif 000012
【図９】
0004289814.tif 000013
【図１０】
0004289814.tif 000014
【図１１】
0004289814.tif 000015
【図１２】
0004289814.tif 000016
【図１３】
0004289814.tif 000017
【図１４】
0004289814.tif 000018
【図１５】
0004289814.tif 000019
【図１６】
0004289814.tif 000020
【図１７】
0004289814.tif 000021
【図１８】
0004289814.tif 000022
【図１９】
0004289814.tif 000023
【図２０】
0004289814.tif 000024
【図２１】
0004289814.tif 000025
【図２２】
0004289814.tif 000026
【図２３】
0004289814.tif 000027
【図２４】
0004289814.tif 000028
【図２５】
0004289814.tif 000029
【図２６】
0004289814.tif 000030
【図２７】
0004289814.tif 000031